(57)【要約】【課題】直噴ディーゼルエンジンの動弁室のオイル流れを悪化させることなくインジェクタホルダを固定するホルダボルトをインジェクタ先端に近い位置で螺合固定して熱膨張差を吸収するとともに、組み付け性およびサービス性が向上させ、かつ動弁室と外部とのシール性を確保する。【解決手段】インジェクタ１７をカムキャリア６を貫通してヘッド本体３のインジェクタ孔１１に挿入しインジェクタホルダ１８で押えてホルダボルト１９で固定する。そのホルダボルト１９は途中、動弁室空間７に露出させる。そして、インジェクタホルダ１８裏面とヘッドトップデッキ部５上面の間およびホルダボルト１９軸周面とボルト孔２０の間を弾性シール部材２１でシールする。また、ヘッドカバー８にはインジェクタ１７およびインジェクタホルダ１８とホルダボルト１９を挿通自在とする開口部を形成する。【選択図】        図５
2004300931.tif 000002
【特許請求の範囲】
【請求項１】
シリンダボア中心部対応位置に燃料噴射用のインジェクタを直立配置しインジェクタホルダで押えてホルダボルトで固定する直噴ディーゼルエンジンのシリンダヘッド部構造であって、
ヘッド上部に動弁室空間を画成するヘッドカバーに、前記インジェクタおよび前記インジェクタホルダと前記ホルダボルトをインジェクタ挿入方向に挿通自在とする開口部が形成されて、該開口部の周囲がヘッドトップデッキ部の上面に当接シールされ、前記ヘッドカバーの外部に前記インジェクタおよび前記インジェクタホルダと前記ホルダボルトが露出する構成とするとともに、
前記ホルダボルトが前記ヘッドトップデッキ部を貫通して、ウォータジャケットと前記動弁室空間とを区画するヘッドミドルデッキ部に形成されたボルトネジ孔に螺合する構成とし、
かつ、前記インジェクタホルダの裏面と前記ヘッドトップデッキ部の上面との間および前記ホルダボルトの軸周面と前記ヘッドトップデッキ部のボルト孔との間をシールする弾性シール部材が配設される構成としたことを特徴とする直噴ディーゼルエンジンのシリンダヘッド部構造。
【請求項２】
前記ヘッドミドルデッキ部を構成しウォータジャケットを画成するヘッド本体の上面に、動弁装置のカムシャフトを支持するカムジャーナル部を構成するとともに前記ヘッドカバーの開口部周囲との当接シール面を備えたヘッドトップデッキ部を構成するカムキャリアが配置され、
前記インジェクタホルダおよび前記カムキャリアを貫通して前記ヘッドミドルデッキ部の前記ボルトネジ孔に螺合する前記ホルダボルトが前記動弁室空間に露出する構成とした請求項１記載の直噴ディーゼルエンジンのシリンダヘッド部構造。
【請求項３】
前記ヘッド本体には該ヘッド本体の上面から燃焼室を画成するヘッドボトムデッキ部の下面まで延びるインジェクタ孔を備えたインジェクタボスが形成され、該インジェクタボスの上面に前記カムキャリアが当接固定される構成とした請求項２記載の直噴ディーゼルエンジンのシリンダヘッド部構造。
【請求項４】
前記ウォータージャケット内のシリンダボア間対応位置に前記ヘッドボトムデッキと前記ヘッドミドルデッキ部とを連結する支柱が形成され、該支柱と前記ヘッドミドルデッキ部との連結部に近接して前記ホルダネジ孔を有するホルダボルトボスが形成された請求項３記載の直噴ディーゼルエンジンのシリンダヘッド部構造。
【請求項５】
当該エンジンがＤＯＨＣ多気筒列型エンジンで、前記カムキャリアがヘッド幅方向中心部に位置してヘッド長手方向に延びるベース部と該ベース部から気筒毎にヘッド幅方向に延びる前記カムジャーナル部とからなるフレーム構造で、前記開口部が前記カムキャリアの前記ベース部に対応してヘッド長手方向に延びるスリットの形状に形成され、そのスリット長手方向に長くなる方向に前記インジェクタホルダが配置された請求項２〜４のいずれか１項記載の直噴ディーゼルエンジンのシリンダヘッド部構造。
【請求項６】
前記カムキャリアの各カムジャーナル部に対応してカムジャーナル部毎に独立したカムキャップを配し、一体のカムキャリアと各カムキャップとでカム軸を支持する構成とした請求項５記載の直噴ディーゼルエンジンのシリンダヘッド部構造。
【請求項７】
前記開口部の長手方向に沿って各インジェクタを連通するリターン通路を配置した請求項５または６記載の直噴ディーゼルエンジンのシリンダヘッド部構造。
【請求項８】
当該エンジンがヘッド幅方向の一側から吸気し他側から排気するクロスフロー式エンジンで、その吸気側の側面に沿って高圧燃料を蓄える畜圧レールが配され、前記ヘッドカバーは吸気側が排気側より低く形成されて、その低い方のヘッドカバー吸気側の上方に前記蓄圧レールと各インジェクタとを連結する燃料パイプが配管され、ヘッドカバー排気側の内部にオイルセパレータ室が形成された請求項５〜７のいずれか１項記載の直噴ディーゼルエンジンのシリンダヘッド部構造。
【請求項９】
前記弾性シール部材は、前記インジェクタホルダの裏面と前記ヘッドトップデッキ部との間に挟まれるリング状部および前記ボルト孔に挿入される筒状部を備えたサポート体と、該サポート体の前記リング状部に取り付けられ前記ヘッドトップデッキ部の上面に当接する第１弾性シール部材と、前記筒状部に取り付けられ前記ホルダボルトの周面に当接する第２弾性シール部材とで構成される請求項１〜８のいずれか１項記載の直噴ディーゼルエンジンのシリンダヘッド部構造。
【請求項１０】
前記第１弾性シール部材が前記第２シール部材より厚く形成された請求項９記載の直噴ディーゼルエンジンのシリンダヘッド部構造。
【発明の詳細な説明】
【０００１】
【発明の属する技術分野】
本発明は、シリンダボア中心部対応位置に燃料噴射用のインジェクタを直立配置しインジェクタホルダで押えてホルダボルトで固定する直噴ディーゼルエンジンのシリンダヘッド部構造に関する。
【０００２】
【従来の技術】
シリンダヘッドのシリンダボア中心部対応位置に燃料噴射用のインジェクタを直立配置しインジェクタホルダで押えてホルダボルトで固定し回り止めする直噴ディーゼルエンジンは従来から知られている（例えば、特許文献１、２参照。）。そして、そのホルダボルトを螺合させるボルトネジ孔を、シリンダヘッドに設けたインジェクタ取付用のボスと一体の肉付け部に形成し、インジェクタホルダをヘッドカバーの上から押さえる形で取り付けることが知られている（例えば、特許文献１参照。）。
【０００３】
【特許文献１】
欧州特許第０８１９８４１号明細書
【特許文献２】
欧州特許出願公開第１０９４２１３号明細書
【０００４】
【発明が解決しようとする課題】
直噴ディーゼルエンジンにおいて燃料噴射用のインジェクタをインジェクタホルダで押えてホルダボルトでシリンダヘッドに固定し回り止めする場合、この種のエンジンのシリンダヘッドは一般に材質がアルミ系、インジェクタは鉄系で、熱膨張差があるため、ホルダボルトをできるだけインジェクタの先端に近い位置でシリンダヘッドに固定することで熱膨張差を吸収するようにしたい。しかし、そのために上記従来の技術のようにインジェクタボスにボルトネジ孔を形成する肉付け部を設けるのでは、その肉付け部が障害となってヘッド上部の動弁室のオイルの流れが悪くなる。また、上記従来の技術のようにインジェクタホルダをヘッドカバーの上から押さえる形で取り付けるのでは、ヘッドカバーを取り付けないとインジェクタホルダを組み付けることができず、また、インジェクタおよびインジェクタホルダを外さなければヘッドカバーを外すことができないため、組み付け性およびサービス性が悪くなる。
【０００５】
本発明は上記問題点に鑑みてなされたもので、燃料噴射用のインジェクタをインジェクタホルダで押えてホルダボルトで固定し回り止めする直噴ディーゼルエンジンにおいて、ヘッド上部の動弁室のオイルの流れを悪化させることなくホルダボルトをインジェクタ先端に近い位置で固定して熱膨張差を吸収するとともに、ヘッドカバーに関係なくインジェクタおよびインジェクタホルダの取り付け・取り外しを行うことができ、インジェクタおよびインジェクタホルダに関係なくヘッドカバーの取り付け・取り外しを行うことができて組み付け性およびサービス性が向上し、かつ、動弁室と外部とのシール性を確保できるようにすることを目的とする。
【０００６】
【課題を解決するための手段】
本発明は上記課題を解決する直噴ディーゼルエンジンのシリンダヘッド部構造を提供するものである。
【０００７】
請求項１に係る発明の直噴ディーゼルエンジンのシリンダヘッド部構造は、シリンダボア中心部対応位置に燃料噴射用のインジェクタを直立配置しインジェクタホルダで押えてホルダボルトで固定する直噴ディーゼルエンジンのシリンダヘッド部構造であって、ヘッド上部に動弁室空間を画成するヘッドカバーに、前記インジェクタおよび前記インジェクタホルダと前記ホルダボルトをインジェクタ挿入方向に挿通自在とする開口部が形成されて、該開口部の周囲がヘッドトップデッキ部の上面に当接シールされ、前記ヘッドカバーの外部に前記インジェクタおよび前記インジェクタホルダと前記ホルダボルトが露出する構成とするとともに、前記ホルダボルトが前記ヘッドトップデッキ部を貫通して、ウォータジャケットと前記動弁室空間とを区画するヘッドミドルデッキ部に形成されたボルトネジ孔に螺合する構成とし、かつ、前記インジェクタホルダの裏面と前記ヘッドトップデッキ部の上面との間および前記ホルダボルトの軸周面と前記ヘッドトップデッキ部のボルト孔との間をシールする弾性シール部材が配設される構成としたことを特徴とする。
【０００８】
この場合、ホルダボルトがヘッドトップデッキ部を貫通して、ウォータジャケットと動弁室空間とを区画するヘッドミドルデッキ部に形成されたボルトネジ孔に螺合する構成としたことにより、ホルダボルトがインジェクタ先端に近い位置で固定されることとなってシリンダヘッドとインジェクタとの間の熱膨張差をボルト締結力で吸収することができ、また、ボルトネジ孔のためにインジェクタボスと一体に肉付け部を形成する必要がないため動弁室のオイルの流れが悪くならない。
【０００９】
また、ヘッド上部に動弁室空間を画成するヘッドカバーに、インジェクタおよびインジェクタホルダとホルダボルトをインジェクタ挿入方向に挿通自在とする開口部が形成され、ヘッドカバーの外部にインジェクタおよびインジェクタホルダとホルダボルトが露出する構成としたことにより、ヘッドカバーに関係なくインジェクタおよびインジェクタホルダの取り付け・取り外しを行うことができ、インジェクタおよびインジェクタホルダに関係なくヘッドカバーの取り付け・取り外しを行うことができて組み付け性およびサービス性が向上する。
【００１０】
そして、ヘッドカバーの開口部の周囲がヘッドトップデッキ部の上面に当接シールされ、インジェクタホルダの裏面とヘッドトップデッキ部の上面との間およびホルダボルトの軸周面とヘッドトップデッキ部のボルト孔との間をシールする弾性シール部材が配設される構成としたことにより、動弁室の密閉性が確保される。
【００１１】
請求項２に係る発明の直噴ディーゼルエンジンのシリンダヘッド部構造は、請求項１に係る発明の上記構成を備えるとともに、前記ヘッドミドルデッキ部を構成しウォータジャケットを画成するヘッド本体の上面に、動弁装置のカムシャフトを支持するカムジャーナル部を構成するとともに前記ヘッドカバーの開口部周囲との当接シール面を備えたヘッドトップデッキ部を構成するカムキャリアが配置され、前記インジェクタホルダおよび前記カムキャリアを貫通して前記ヘッドミドルデッキ部の前記ボルトネジ孔に螺合する前記ホルダボルトが前記動弁室空間に露出する構成としたものである。
【００１２】
この場合、ヘッド本体の上面にカムキャリアが配置される構成で、ヘッド本体とカムキャリアが別体であるため、ヘッド本体に形成されるヘッドミドルデッキ部へのボルトネジ孔の加工は容易である。そして、ボルトネジ孔を加工するだけの簡単な構成で、動弁室のオイルの流れを悪化させることなくホルダボルトを固定することができる。
【００１３】
請求項３に係る発明の直噴ディーゼルエンジンのシリンダヘッド部構造は、請求項２に係る発明の上記構成を備えるとともに、前記ヘッド本体には該ヘッド本体の上面から燃焼室を画成するボトムデッキの下面まで延びるインジェクタ孔を備えたインジェクタボスが形成され、該インジェクタボスの上面に前記カムキャリアが当接固定される構成としたものである。
【００１４】
このようにインジェクタボスの上面に前記カムキャリアが当接固定される構成としたことで、インジェクタボス近傍においてインジェクタホルダおよびカムキャリアを貫通して締め付けるホルダボルトの軸力に対し、カムキャリアにより構成されるヘッドトップデッキ部の剛性を確保することができる。
【００１５】
請求項４に係る発明の直噴ディーゼルエンジンのシリンダヘッド部構造は、請求項３に係る発明の上記構成を備えるとともに、前記ウォータージャケット内のシリンダボア間対応位置に前記ヘッドボトムデッキ部と前記ヘッドミドルデッキ部とを連結する支柱が形成され、該支柱と前記ヘッドミドルデッキ部との連結部に近接して前記ホルダネジ孔を有するホルダボルトボスが形成されたものである。
【００１６】
この場合、ウォータージャケット内のシリンダボア間対応位置に形成した支柱は、ヘッドボルトボス部間に位置し、それにより、ヘッドミドルデッキ部の上からヘッドボルトボス部を貫通してシリンダに締結するヘッドボルトの締付応力に対しシリンダボア間対応位置におけるヘッドミドルデッキ部の剛性が高まる。そして、その支柱とミドルデッキとの連結部に近接してホルダネジ孔を有するホルダボルトボスが形成されることで、ホルダボルトに締め付けに対する剛性が確保される。
【００１７】
請求項５に係る発明の直噴ディーゼルエンジンのシリンダヘッド部構造は、請求項２〜４に係る発明のいずれかの上記構成を備えるとともに、当該エンジンがＤＯＨＣ多気筒列型エンジンで、前記カムキャリアがヘッド幅方向中心部に位置してヘッド長手方向に延びるベース部と該ベース部から気筒毎にヘッド幅方向に延びる前記カムジャーナル部とからなるフレーム構造で、前記開口部が前記カムキャリアの前記ベース部に対応してヘッド長手方向に延びるスリットの形状に形成され、そのスリット長手方向に長くなる方向に前記インジェクタホルダが配置されたものである。
【００１８】
この場合、カムキャリアをヘッド長手方向に延びるベース部と気筒毎にヘッド幅方向に延びるカムジャーナル部とからなるフレーム構造であることにより、吸気カム軸および排気カム軸を有するＤＯＨＣ多気筒エンジンの動弁機構をヘッド上部の動弁室に干渉なく配置できるとともに各気筒のインジェクタおよびインジェクタホルダをカムキャリア上に配置することができ、しかも、ヘッドカバーの開口部がカムキャリアのベース部に対応してヘッド長手方向に延びるスリットの形状に形成され、そのスリット長手方向に長くなる方向にインジェクタホルダが配置されることで、各気筒のインジェクタおよびインジェクタホルダを一列となる配置でヘッドカバーの外部に露出させることができ、簡素なシリンダヘッド部構造となる。
【００１９】
請求項６に係る発明の直噴ディーゼルエンジンのシリンダヘッド部構造は、請求項５に係る発明の上記構成を備えるとともに、前記カムキャリアの各カムジャーナル部に対応してカムジャーナル部毎に独立したカムキャップを配し、一体のカムキャリアと各カムキャップとでカム軸を支持する構成としたものである。
【００２０】
これによりＤＯＨＣエンジンの吸気カム軸と排気カム軸を支持する簡素な構成が得られる。
【００２１】
請求項７に係る発明の直噴ディーゼルエンジンのシリンダヘッド部構造は、請求項５または６に係る発明の上記構成を備えるとともに、前記開口部の長手方向に沿って各インジェクタを連通するリターン通路を配置したものである。
【００２２】
リターン通路はこのようにヘッドカバー開口部の長手方向に沿って配置することで簡素に配管できる。
【００２３】
請求項８に係る発明の直噴ディーゼルエンジンのシリンダヘッド部構造は、請求項５〜７に係る発明のいずれかの上記構成を備えるとともに、当該エンジンがヘッド幅方向の一側から吸気し他側から排気するクロスフロー式エンジンで、その吸気側の側面に沿って高圧燃料を蓄える畜圧レールが配され、前記ヘッドカバーは吸気側が排気側より低く形成されて、その低い方のヘッドカバー吸気側の上方に前記蓄圧レールと各インジェクタとを連結する燃料パイプが配管され、ヘッドカバー排気側の内部にオイルセパレータ室が形成されたものである。
【００２４】
この構成により、クロスフロー式エンジンにおいて蓄圧レールおよび該蓄圧レールと各インジェクタとを連結する燃料パイプを簡素に配管できる。
【００２５】
請求項９に係る発明の直噴ディーゼルエンジンのシリンダヘッド部構造は、請求項１〜８に係る発明のいずれかの上記構成を備えるとともに、前記弾性シール部材は、前記インジェクタホルダの裏面と前記ヘッドトップデッキ部との間に挟まれるリング状部および前記ボルト孔に挿入される筒状部を備えたサポート体と、該サポート体の前記リング状部に取り付けられ前記ヘッドトップデッキ部の上面に当接する第１弾性シール部材と、前記筒状部に取り付けられ前記ホルダボルトの周面に当接する第２弾性シール部材とで構成されるものである。
【００２６】
弾性シール部材をこのように構成することで、ヘッドトップデッキ部のホルダボルト貫通部のシール性が確保される。
【００２７】
請求項１０に係る発明の直噴ディーゼルエンジンのシリンダヘッド部構造は、請求項９に係る発明の上記構成を備えるとともに、前記第１弾性シール部材が前記第２シール部材より厚く形成されたものである。
【００２８】
インジェクタホルダはホルダボルト貫通部を挟んで一側先端がインジェクタを保持し他側先端部がヘッドトップデッキ部の上面に当接するもので、ホルダボルトが締め付けられるときの多少の揺動を許容するよう先端部当接面が円弧状に形成されるとともに、ホルダボルト貫通部とヘッドトップデッキとの間の隙間は誤差を吸収できる程度に大きくされる。それに対し、ホルダボルトとボルト孔の隙間は誤差の発生要因が少ないため小さい寸法とされる。そのため、ヘッドトップデッキの上面に当接する第１弾性シール部材はたわみ代を大きくするよう厚みを大きくするのであり、それによりシール性の確保が容易となる。
【００２９】
【発明の実施の形態】
以下、本発明の実施の形態を図面に基づいて説明する。
図１〜７は実施の形態の一例を示す。図１は実施の形態のエンジンの要部平面図、図２はヘッド本体の部分底面図、図３はカムキャップの平面図、図４はカムキャップの断面図、図５はシリンダヘッド部の部分拡大断面図、図６は弾性シール部材の断面図、図７はヘッドカバーの断面図である。
【００３０】
この実施の形態のエンジンは吸気２弁、排気２弁のクロスフロー式で４気筒列型のＤＯＨＣ（ダブルオーバヘッドカム）直噴ディーゼルエンジンで、シリンダヘッド部は、ヘッドミドルデッキ部１を構成しウォータジャケット２を画成するヘッド本体３の上面に、図示しない動弁装置のカムシャフトを支持する各カムジャーナル部４を構成するとともにヘッドトップデッキ部５を構成するカムキャリア６が配置され、ヘッド上部に動弁室空間７を画成するようヘッドカバー８が配設される。ヘッドミドルデッキ部１はウォータジャケット２と動弁室空間７とを区画する。
【００３１】
カムキャリア６は、図３に示すように魚骨状のフレーム構造で、ヘッド幅方向中心部に位置してヘッド長手方向に延びるベース部がヘッドトップデッキ部５を構成し、ベース部から気筒毎にヘッド幅方向にカムジャーナル部４が形成されている。
【００３２】
カムキャリア６には各カムジャーナル部４に対応してカムジャーナル部４毎に独立したカムキャップ９が配され、全気筒一体のカムキャリア６と各カムキャップ９とでカム軸が支持される。
【００３３】
ヘッド本体３には、ヘッド本体３の上面から燃焼室を画成するヘッドボトムデッキ部１０の下面まで延びるインジェクタ孔１１を備えたインジェクタボス１２が形成されている。カムキャリア６は図５に示すようにインジェクタボス１２の上面に当接固定される。
【００３４】
また、ヘッド本体３には、ウォータージャケット２内のシリンダボア１３間対応位置にヘッドボトムデッキ部１０とヘッドミドルデッキ部１とを連結する断面円形の支柱１４が形成され、図５に示すように支柱１４とヘッドミドルデッキ部１との連結部に近接してホルダネジ孔１５を有するホルダボルトボス１６が形成されている。
【００３５】
そして、各気筒のシリンダボア１３中心部対応位置に燃料噴射用のインジェクタ１７が直立配置される。各インジェクタ１７は、ヘッド上方からカムキャリア６を貫通してヘッド本体３のインジェクタ孔１１に挿入され、二股構造のインジェクタホルダ１８で押えられ、ホルダボルト１９で固定される。
【００３６】
ホルダボルト１９は、インジェクタホルダ１８およびカムキャリア６（ヘッドトップデッキ部５）を貫通してヘッドミドルデッキ部１に形成されたホルダボルトボス１６のボルトネジ孔に螺合固定され、途中、カムキャリア６（ヘッドトップデッキ部５）とヘッドミドルデッキ部との間で動弁室空間７に露出している。
【００３７】
そして、インジェクタホルダ１８の裏面とカムキャリア６（ヘッドトップデッキ部５）の上面との間およびホルダボルト１９の軸周面とカムキャリア６（ヘッドトップデッキ部５）のボルト孔２０との間をシールするため、ワンタッチで装着可能な弾性シール部材２１が配設されている。
【００３８】
弾性シール部材２１は、図６に示すとおりで、インジェクタホルダ１８の裏面とカムキャリア６（ヘッドトップデッキ部５）との間に挟まれるリング状部２２ａおよびボルト孔２０に挿入される筒状部２２ｂを備えたサポート体２２と、このサポート体２２のリング状部２２ａに取り付けられカムキャリア６（ヘッドトップデッキ部５）の上面に当接する第１弾性シール部材２３と、筒状部に取り付けられホルダボルトの周面に当接する第２弾性シール部材２４とで構成され、第１弾性シール部材２３は第２シール部材より厚く形成されている。
【００３９】
ヘッドカバー８には、インジェクタ１７およびインジェクタホルダ１８とホルダボルト１９をインジェクタ挿入方向に挿通自在とする開口部２５が形成され、その開口部２５の周囲がカムキャリア６のベース部（ヘッドトップデッキ部５）上面に形成された当接シール面２６に当接シールされている。
【００４０】
ヘッドカバー８の上記開口部２５は、カムキャリア６のベース部（ヘッドトップデッキ部５）に対応してヘッド長手方向に延びるスリットの形状に形成されたもので、そのスリット長手方向に長くなる方向にインジェクタホルダ１８が配置され、開口部２５からヘッドカバー８の外部にインジェクタ１７およびインジェクタホルダ１８とホルダボルト１９が露出する
【００４１】
そして、図１に示すようにヘッドカバー８の外部には上記開口部２５の長手方向に沿って各インジェクタ１７を連通するリターン通路２７が配され、吸気側の側面に沿って高圧燃料を蓄える畜圧レール２８が配されている。
【００４２】
また、ヘッドカバー８は図７に示すように吸気側（図１で下側、図７で左側）が排気側（図１で上側、図７で右側）より低く形成されて、図１に示すように低い方のヘッドカバー吸気側８ａの上方に蓄圧レール２８と各インジェクタ１７とを連結する燃料パイプ２９が配管されている。また、ヘッドカバー排気側８ｂの内部にはオイルセパレータ室が形成されている。
【００４３】
【発明の効果】
以上の説明から明らかなように、本発明によれば、燃料噴射用のインジェクタをインジェクタホルダで押えてホルダボルトで固定し回り止めする直噴ディーゼルエンジンにおいて、ヘッド上部の動弁室のオイルの流れを悪化させることなくホルダボルトをインジェクタ先端に近い位置で固定して熱膨張差を吸収するとともに、ヘッドカバーに関係なくインジェクタおよびインジェクタホルダの取り付け・取り外しを行うことができ、インジェクタおよびインジェクタホルダに関係なくヘッドカバーの取り付け・取り外しを行うことができて組み付け性およびサービス性が向上し、かつ、動弁室と外部とのシール性を確保できる。
【図面の簡単な説明】
【図１】本発明の実施の形態のエンジンの要部平面図である。
【図２】本発明の実施の形態におけるヘッド本体の部分底面図である。
【図３】本発明の実施の形態におけるカムキャップの平面図である。
【図４】本発明の実施の形態におけるカムキャップの断面図である。
【図５】本発明の実施の形態におけるシリンダヘッド部の部分拡大断面図である。
【図６】本発明の実施の形態における弾性シール部材の断面図である。
【図７】本発明の実施の形態におけるヘッドカバーの断面図である。
【符号の説明】
１  ヘッドミドルデッキ部
２  ウォータジャケット
３  ヘッド本体
４  カムジャーナル部４
５  ヘッドトップデッキ部（ベース部）
６  カムキャリア
７  動弁室空間
８  ヘッドカバー
９  カムキャップ
１０  ヘッドボトムデッキ部
１１  インジェクタ孔
１２  インジェクタボス
１３  シリンダボア
１４  支柱
１５  ホルダネジ孔
１６  ホルダボルトボス
１７  インジェクタ
１８  インジェクタホルダ
１９  ホルダボルト
２０  ボルト孔
２１  弾性シール部材
２２  サポート体
２２ａ  リング状部
２２ｂ  筒状部
２３  第１弾性シール部材
２４  第２弾性シール部材
２５  開口部
２６  当接シール面
２７  リターン通路
２８  畜圧レール
２９  燃料パイプ
【図１】
2004300931.tif 000003
【図２】
2004300931.tif 000004
【図３】
2004300931.tif 000005
【図４】
2004300931.tif 000006
【図５】
2004300931.tif 000007
【図６】
2004300931.tif 000008
【図７】
2004300931.tif 000009